(57)【要約】【課題】携帯情報端末の構成を複雑化することなく、携帯情報端末に表示される表示データを無線にて受信しながら大画面上に表示する。【解決手段】表示装置１２０に表示データを表示させる場合、表示装置１２０の特定の位置に携帯電話を置き、携帯電話において、液晶表示部１１１に表示させる表示データを内部無線通信用アンテナ１０７を介して第１筐体部Ｋ１１から送信し、その表示データを表示装置１２０の外部無線通信用アンテナ１０１を介して受信させ、液晶表示部１２５に表示データを表示させる。【選択図】図１
2007124286.tif 000002
【特許請求の範囲】
【請求項１】
携帯情報端末上で表示させるために前記携帯情報端末から無線にて送信された表示デー
タを受信する受信部と、
前記受信部にて受信された表示データを表示する表示部とを備えることを特徴とする表
示装置。
【請求項２】
前記受信部にて受信された表示データの解像度を変換する解像度変換部をさらに備える
ことを特徴とする請求項１記載の表示装置。
【請求項３】
前記携帯情報端末の操作を行う操作部と、
前記操作に関する操作情報を無線にて送信する第１送信部とを備えることを特徴とする
請求項１または２記載の表示装置。
【請求項４】
自己の認証情報および暗号キーを送信する第２送信部と、
前記暗号キーにて暗号化され、前記受信部にて受信された表示データを復号する復号部
とを備えることを特徴とする請求項１から３のいずれか１項記載の表示装置。
【請求項５】
携帯情報端末上で表示させるために前記携帯情報端末から無線にて送信された表示デー
タを受信する受信部と、
前記受信部にて受信された表示データを転送する外部インターフェイス回路とを備える
ことを特徴とする表示データ転送装置。
【請求項６】
第１筐体部と、
前記第１筐体部に連結された第２筐体部と、
前記第１筐体部と前記第２筐体部との間の位置関係を変えられるように前記第１筐体部
と前記第２筐体部とを連結する連結部と、
前記第１筐体部または前記第２筐体部に搭載された外部無線通信用アンテナと、
前記第１筐体部に搭載され、前記外部無線通信用アンテナを介して行われる外部無線通
信の制御を主として司る外部無線通信制御部と、
前記第２筐体部に搭載された表示部と、
前記第１筐体部に搭載された第１の内部無線通信用アンテナと、
前記第２筐体部に搭載された第２の内部無線通信用アンテナと、
前記第１筐体部に搭載され、前記第１の内部無線通信用アンテナを介して行われる内部
無線通信の制御を司る第１の内部無線通信制御部と、
前記第２筐体部に搭載され、前記第２の内部無線通信用アンテナを介して行われる内部
無線通信の制御を司る第２の内部無線通信制御部と、
外部表示モードの指定に基づいて前記第１の内部無線通信用アンテナを介して送信され
る表示データの解像度を変更する解像度変更部とを備えることを特徴とする無線通信端末
。
【請求項７】
前記第１の内部無線通信制御部は、
前記表示部に表示される第１表示データと外部表示装置に表示される第２表示データと
を時分割で送信することを特徴とする請求項６記載の無線通信端末。
【請求項８】
前記第１表示データは通信に関する付帯情報を示すステータス情報、前記第２表示デー
タは画像データであることを特徴とする請求項６または７記載の無線通信端末。
【請求項９】
外部表示装置の認証情報および暗号キーを受信する受信部と、
前記認証情報に基づいて前記外部表示装置の認証を行う認証部とをさらに備え、
前記第１の内部無線通信制御部は、前記認証された外部表示装置に対して前記暗号キー
にて暗号化された表示データを送信することを特徴とする請求項６から８のいずれか１項
記載の無線通信端末。
【請求項１０】
自装置上で表示させるために前記自装置から無線にて送信された表示データを受信する
受信部と、
前記受信部にて受信された表示データを表示する表示部とを備え、
前記受信部は携帯情報端末上で表示させるために前記携帯情報端末から無線にて送信さ
れた表示データを受信し、前記表示部に表示させることを特徴とする情報処理装置。
【発明の詳細な説明】
【技術分野】
【０００１】
本発明は表示装置、表示データ転送装置および無線通信端末に関し、特に、小型ディス
プレイに無線で送られる表示データを大型ディスプレイで受信しながら大画面上に表示さ
せる方法に適用して好適なものである。
【背景技術】
【０００２】
携帯電話やＰＤＡなどの携帯情報端末では、携帯性を持たせるために小さな筐体が用い
られ、表示データを表示するディスプレイも小型化されている。
また、例えば、特許文献１には、携帯情報端末に表示される表示データを一度に大量に
表示させる場合、携帯情報端末に表示される表示データを大型ディスプレイが搭載された
外部表示装置に無線にて転送する方法が開示されている。
【特許文献１】特開平８−２９３８３０号公報
【発明の開示】
【発明が解決しようとする課題】
【０００３】
しかしながら、特許文献１に開示された方法では、外部表示装置と無線にてデータをや
り取りするために、無線通信インターフェイスを携帯情報端末に別途搭載する必要があり
、携帯情報端末の構成が複雑化するという問題があった。
そこで、本発明の目的は、携帯情報端末の構成を複雑化することなく、携帯情報端末に
表示される表示データを無線にて受信しながら大画面上に表示することが可能な表示装置
、表示データ転送装置および無線通信端末を提供することである。
【課題を解決するための手段】
【０００４】
上述した課題を解決するために、本発明の一態様に係る表示装置によれば、携帯情報端
末上で表示させるために前記携帯情報端末から無線にて送信された表示データを受信する
受信部と、前記受信部にて受信された表示データを表示する表示部とを備えることを特徴
とする。
これにより、携帯情報端末から送信された生の表示データを外部の表示装置にて受信す
ることが可能となり、表示データを外部の表示装置に送信するために、表示データのエン
コードなどの処理を不要とすることができる。このため、携帯情報端末の構成を複雑化す
ることなく、携帯情報端末に表示される表示データを無線にて送信しながら大画面上に表
示させることが可能となり、携帯情報端末の携帯性を損なうことなく、表示データの視認
性を向上させることができる。
【０００５】
また、本発明の一態様に係る表示装置によれば、前記受信部にて受信された表示データ
の解像度を変換する解像度変換部をさらに備えることを特徴とする。
これにより、小型ディスプレイの解像度に対応した表示データが送信された場合におい
ても、大型ディスプレイ上に綺麗に表示させることが可能となり、表示データの視認性を
向上させることができる。
【０００６】
また、本発明の一態様に係る表示装置によれば、前記携帯情報端末の操作を行う操作部
と、前記操作に関する操作情報を無線にて送信する第１送信部とを備えることを特徴とす
る。
これにより、携帯情報端末の構成の複雑化を抑制しつつ、携帯情報端末の操作性を向上
させることができる。
【０００７】
また、本発明の一態様に係る表示装置によれば、自己の認証情報および暗号キーを送信
する第２送信部と、前記暗号キーにて暗号化され、前記受信部にて受信された表示データ
を復号する復号部とを備えることを特徴とする。
これにより、携帯情報端末から送信される表示データのセキュリティを確保しつつ、携
帯情報端末と外部表示装置との間で無線にてデータのやり取りをすることができる。
【０００８】
また、本発明の一態様に係る表示データ転送装置によれば、携帯情報端末上で表示させ
るために前記携帯情報端末から無線にて送信された表示データを受信する受信部と、前記
受信部にて受信された表示データを転送する外部インターフェイス回路とを備えることを
特徴とする。
これにより、携帯情報端末の充電などの機能を持たせつつ、携帯情報端末から送信され
た生の表示データを外部の表示装置に転送することが可能となり、表示データを外部の表
示装置に表示させるために、表示データのエンコードなどの処理を不要とすることができ
る。このため、携帯情報端末の構成を複雑化することなく、携帯情報端末に表示される表
示データを無線にて送信しながら大画面上に表示させることが可能となり、携帯情報端末
の携帯性を損なうことなく、表示データの視認性を向上させることができる。
【０００９】
また、本発明の一態様に係る無線通信端末によれば、第１筐体部と、前記第１筐体部に
連結された第２筐体部と、前記第１筐体部と前記第２筐体部との間の位置関係を変えられ
るように前記第１筐体部と前記第２筐体部とを連結する連結部と、前記第１筐体部または
前記第２筐体部に搭載された外部無線通信用アンテナと、前記第１筐体部に搭載され、前
記外部無線通信用アンテナを介して行われる外部無線通信の制御を主として司る外部無線
通信制御部と、前記第２筐体部に搭載された表示部と、前記第１筐体部に搭載された第１
の内部無線通信用アンテナと、前記第２筐体部に搭載された第２の内部無線通信用アンテ
ナと、前記第１筐体部に搭載され、前記第１の内部無線通信用アンテナを介して行われる
内部無線通信の制御を司る第１の内部無線通信制御部と、前記第２筐体部に搭載され、前
記第２の内部無線通信用アンテナを介して行われる内部無線通信の制御を司る第２の内部
無線通信制御部と、外部表示モードの指定に基づいて前記第１の内部無線通信用アンテナ
を介して送信される表示データの解像度を変更する解像度変更部とを備えることを特徴と
する。
【００１０】
これにより、携帯情報端末から送信された生の表示データを外部表示装置に受信させる
ことが可能となるとともに、外部表示装置に適合した最適な解像度で表示させることが可
能となる。このため、表示データを外部表示装置に送信するために、表示データのエンコ
ードなどの処理を不要とすることが可能となるとともに、外部表示装置に解像度変換装置
を設ける必要がなくなり、携帯情報端末および外部表示装置の構成の複雑化を抑制しつつ
、携帯情報端末に表示される表示データを大画面上に表示させることが可能となる。
【００１１】
また、本発明の一態様に係る無線通信端末によれば、前記第１の内部無線通信制御部は
、前記表示部に表示される第１表示データと外部表示装置に表示される第２表示データと
を時分割で送信することを特徴とする。
これにより、携帯情報端末に搭載された表示部の有効活用を図りつつ、携帯情報端末に
表示される表示データを大画面上に表示させることが可能となる。
【００１２】
また、本発明の一態様に係る無線通信端末によれば、前記第１表示データは通信に関す
る付帯情報を示すステータス情報、前記第２表示データは画像データであることを特徴と
する。
これにより、ステータス情報を無線通信端末上で容易に確認することを可能としつつ、
表示データを大画面上に表示させることが可能となり、表示データの視認性を向上させる
ことができる。
【００１３】
また、本発明の一態様に係る無線通信端末によれば、外部表示装置の認証情報および暗
号キーを受信する受信部と、前記認証情報に基づいて前記外部表示装置の認証を行う認証
部とをさらに備え、前記第１の内部無線通信制御部は、前記認証された外部表示装置に対
して前記暗号キーにて暗号化された表示データを送信することを特徴とする。
これにより、携帯情報端末から送信される表示データのセキュリティを確保しつつ、携
帯情報端末と外部表示装置との間で無線にてデータのやり取りをすることができる。
【００１４】
また、本発明の一態様に係る情報処理装置によれば、自装置上で表示させるために前記
自装置から無線にて送信された表示データを受信する受信部と、前記受信部にて受信され
た表示データを表示する表示部とを備え、前記受信部は携帯情報端末上で表示させるため
に前記携帯情報端末から無線にて送信された表示データを受信し、前記表示部に表示させ
ることを特徴とする。
【００１５】
これにより、携帯情報端末に表示される表示データを無線にて送信しながら大画面上に
表示させることが可能となり、携帯情報端末の携帯性を損なうことなく、表示データの視
認性を向上させることができる。
【発明を実施するための最良の形態】
【００１６】
以下、本発明の実施形態に係る表示装置について図面を参照しながら説明する。
図１は、本発明の第１実施形態に係る表示システムの概略構成を示す平面図である。
図１において、携帯電話には、第１筐体部Ｋ１１および第２筐体部Ｋ１２が設けられて
いる。そして、第１筐体部Ｋ１１の表面には、操作ボタン１１２が配置されるとともに、
第１筐体部Ｋ１１の上端には外部無線通信用アンテナが取り付けられている。また、第２
筐体部Ｋ１２の表面には、液晶表示部１１１が設けられるとともに、第２筐体部Ｋ１２の
裏面には、サブディスプレイおよび撮像素子が設けられている。また、第１筐体部Ｋ１１
および第２筐体部Ｋ１２には、第１筐体部Ｋ１１と第２筐体部Ｋ１２との間で内部無線通
信を行う内部無線通信用アンテナ１０７、１０８がそれぞれ設けられている。
【００１７】
そして、第１筐体部Ｋ１１および第２筐体部Ｋ１２はヒンジＲ１を介して連結され、ヒ
ンジＲ１を支点として第２筐体部Ｋ１２を回転させることにより、第２筐体部Ｋ１２を第
１筐体部Ｋ１１上に折り畳むことができる。そして、第２筐体部Ｋ１２を第１筐体部Ｋ１
１上に閉じることにより、操作ボタン１１２を第２筐体部Ｋ１２にて保護することができ
、携帯電話を持ち歩く時に操作ボタン１１２が誤って操作されることを防止することがで
きる。また、第２筐体部Ｋ１２を第１筐体部Ｋ１１から開くことにより、液晶表示部１１
１を見ながら操作ボタン１１２操作したり、操作ボタン１１２を操作しながら撮像を行っ
たりすることができる。
【００１８】
ここで、内部無線通信用アンテナ１０７、１０８を第１筐体部Ｋ１１および第２筐体部
Ｋ１２にそれぞれ設けることにより、内部無線通信用アンテナ１０７、１０８を用いた内
部無線通信にて第１筐体部Ｋ１１と第２筐体部Ｋ１２との間のデータ伝送を行うことがで
きる。例えば、外部無線通信用アンテナを介して第１筐体部Ｋ１１に取り込まれた画像デ
ータや音声データを、内部無線通信用アンテナ１０７、１０８を用いた内部無線通信にて
第２筐体部Ｋ１２に送り、液晶表示部１１１に画像を表示させることができる。また、撮
像素子にて撮像された撮像データを、内部無線通信用アンテナ１０７、１０８を用いた内
部無線通信にて第２筐体部Ｋ１２から第１筐体部Ｋ１１に送り、外部無線通信用アンテナ
を介して外部に送出させることができる。
【００１９】
一方、表示装置１２０には、表示データの表示を行う液晶表示部１２５および外部無
線通信用電波の送受信を行う外部無線通信用アンテナ１２１が設けられている。なお、液
晶表示部１２５の画面は液晶表示部１１１の画面よりも大きくすることができる。また、
表示装置１２０および携帯電話には同じ内部通信プロトコルを搭載することができる。
そして、表示装置１２０に表示データを表示させる場合、表示装置１２０の特定の位置
に携帯電話が置かれる。なお、携帯電話が置かれる位置は、内部無線通信用の電波を検出
できるように決定することができる。そして、携帯電話において、液晶表示部１１１に表
示させる表示データが内部無線通信用アンテナ１０７を介して第１筐体部Ｋ１１から送信
されると、その表示データが表示装置１２０の外部無線通信用アンテナ１２１を介して受
信される。そして、外部無線通信用アンテナ１２１を介して表示データが受信されると、
表示装置１２０は液晶表示部１２５に表示データを表示させる。
【００２０】
これにより、携帯電話から送信された生の表示データを外部の表示装置１２０にて受信
することが可能となり、表示データを外部の表示装置１２０に送信するために、表示デー
タのエンコードなどの処理を不要とすることができる。このため、携帯電話の構成を複雑
化することなく、携帯電話に表示される表示データを無線にて送信しながら大画面上に表
示させることが可能となり、携帯電話の携帯性を損なうことなく、表示データの視認性を
向上させることができる。
【００２１】
なお、上述した実施形態では、携帯電話を例にとって説明したが、ビデオカメラ、ＰＤ
Ａ（Ｐｅｒｓｏｎａｌ  Ｄｉｇｉｔａｌ  Ａｓｓｉｓｔａｎｃｅ）、ノート型パーソナル
コンピュータなどに適用するようにしてもよい。また、表示装置１２０としては、テレビ
や液晶表示装置などの他、プロジェクタなどの投影装置を用いるようにしてもよい。
図２は、図１の表示システムの概略構成を示すブロック図である。
【００２２】
図２において、携帯電話１００には、第１筐体部Ｋ１１および第２筐体部Ｋ１２が設け
られている。そして、第１筐体部Ｋ１１には、外部無線通信用電波の送受信を行う外部無
線通信用アンテナ１０１、外部無線通信用アンテナ１０１を介して送受信される信号の変
復調処理を行う無線部１０２、無線部１０２にて受信された信号などのベースバンド信号
処理を行うベースバンド信号処理部１０３、携帯電話１００全体の制御を司る制御部１０
４、制御部１０４が処理を実行する際のワークエリアを提供したり、その処理結果を記憶
したりするＲＡＭ１１４、無線通信端末を動作させるための各種制御プログラムを格納す
るＲＯＭ１１５、内部無線通信用アンテナ１０７を介して送信データを送信する送信部１
０６、内部無線通信用電波の送受信を第１筐体部Ｋ１１側で行う内部無線通信用アンテナ
１０７、画像データを格納するビデオメモリ１１３および液晶表示部１１１の表示タイミ
ングを制御する液晶コントローラ１０５が設けられている。
【００２３】
また、第２筐体部Ｋ１２には、内部無線通信用アンテナ１０８を介して受信データを受
信する受信部１０９、内部無線通信用電波の受信を第２筐体部Ｋ１２側で行う内部無線通
信用アンテナ１０８、表示データの再生を行う表示データ再生回路１１０および表示デー
タの表示を行う液晶表示部１１１が設けられている。
一方、表示装置１２０には、無線通信用電波の受信を行う外部無線通信用アンテナ１２
１、外部無線通信用アンテナ１２１を介して受信データを受信する受信部１２２、受信部
１２２にて受信された表示データの再生を行う表示データ再生回路１２３、表示データ再
生回路１２３にて再生された表示データの解像度を変換する解像度変換部１２４および表
示データの表示を行う液晶表示部１２５が設けられている。
【００２４】
そして、第１筐体部Ｋ１１および第２筐体部Ｋ１２は、第１筐体部Ｋ１１と第２筐体部
Ｋ１２との間の位置関係を変えられるように連結されている。なお、第１筐体部Ｋ１１と
第２筐体部Ｋ１２との間の位置関係を変える方法としては、第２筐体部Ｋ１１を第１筐体
Ｋ１２上に折り畳めるようにする方法の他、第２筐体部Ｋ１１を第１筐体部Ｋ１２上で水
平に回転できるようにする方法あるいは第２筐体部Ｋ１２を第１筐体部Ｋ１１上で左右ま
たは前後にスライドできるようにする方法などを挙げることができる。
【００２５】
そして、第１筐体部Ｋ１１から第２筐体部Ｋ１２に表示データを送信する場合、制御部
１０４は、液晶表示部１１１に表示される表示データを生成し、ビデオメモリ１１３に格
納する。そして、液晶コントローラ１０５は、液晶表示部１１１に表示される表示データ
を所定順序でビデオメモリ１１３から読み出し、垂直同期信号、水平同期信号とともに送
信部１０６に出力する。そして、送信部１０６では、表示データを受けてパケットを生成
し、無線通信に必要な同期を取るためのプリアンブルをパケットに付与する。そして、送
信部１０６は、パケット化された表示データを内部無線通信用アンテナ１０７に送り、表
示データが内部無線通信用アンテナ１０７を介して電波として送出される。
【００２６】
そして、表示データが内部無線通信用アンテナ１０７を介して送出されると、内部無線
通信用アンテナ１０８を介して受信部１０９に送られる。そして、受信部１０９では、不
要帯域の妨害波がバンドパスフィルタにて除去され、ローノイズアンプによって増幅され
た後、受信データが復調されパケットが再生され、表示データ再生回路１１０に送られる
。そして、表示データ再生回路１１０では、表示データと表示データにタイミングを合わ
せた水平同期信号、垂直同期信号、Ｘドライバの転送クロックを、再生されたパケットか
ら抽出し、液晶表示部１１１に出力し表示を行わせる。
【００２７】
また、パケット化された表示データが内部無線通信用アンテナ１０７を介して電波とし
て送出されると、外部無線通信用アンテナ１２１を介して表示装置１２０でも受信される
。すなわち、表示データが内部無線通信用アンテナ１０７を介して送出されると、外部無
線通信用アンテナ１２１を介して受信部１２２に送られる。そして、受信部１２２では、
不要帯域の妨害波がバンドパスフィルタにて除去され、ローノイズアンプによって増幅さ
れた後、受信データが復調されパケットが再生され、表示データ再生回路１２３に送られ
る。そして、表示データ再生回路１２３では、表示データと表示データにタイミングを合
わせた水平同期信号、垂直同期信号、Ｘドライバの転送クロックを、再生されたパケット
から抽出し、解像度変換回路１２４に送る。そして、解像度変換回路１２４では、復調さ
れた表示データを、液晶表示部１２５の解像度に合わせて変更する。具体的には、携帯電
話１００側の液晶表示部１１１が表示装置１２０側の液晶表示部１２５の解像度より低い
場合、表示データを表示装置１２０の液晶表示部１２５の解像度に合わせて画像を補間処
理する。そして、解像度変換回路１２４は、解像度を変更した表示データを液晶表示部１
２５に出力し表示を行わせる。
【００２８】
これにより、表示装置１２０は、携帯電話１００の液晶表示部１１１に表示される表示
データをそのまま受信して表示することができ、表示データの解像度の変更のみを行えば
よい。このため、動画や静止画などの用途に応じて表示装置１２０側でエンコードするな
どの処理を行う必要がなく、表示装置１２０の構成を簡略化することができる。また、携
帯電話１００に通信インターフェイスを別途追加することなく、表示データを表示装置１
２０に表示させることができ、第１筐体部Ｋ１１および第２筐体部Ｋ１２の小型化と利便
性の向上を図ることができる。
【００２９】
図３は、本発明の第２実施形態に係る表示システムの表示方法を示す平面図である。
図３において、図１の携帯電話１００および表示装置１２０をテレビ電話として使用し
た場合、表示装置１２０に相手の画像Ｇ１を表示し、携帯電話１００に自分の画像Ｇ２を
表示させることができる。この場合、携帯電話１００から表示装置１２０に相手の画像Ｇ
１の表示データを時分割で送信することができる。
【００３０】
図４は、図３の表示システムの表示タイミングを示す図である。
図４において、携帯電話１００から表示装置１２０に表示データを時分割で送信する場
合、携帯電話１００は、携帯電話１００内部へ宛てたパケットＩＰと表示装置１２０へ宛
てたパケットＯＰとを交互に送信することができる。ここで、パケットＩＰ、ＯＰの先頭
にはヘッダＨが設けられ、ヘッダＨには受信側で同期を取るためのプリアンブルとともに
、パケットＩＰ、ＯＰのあて先の情報が含まれる。そして、携帯電話１００および表示装
置１２０は、受信したパケットＩＰ、ＯＰのヘッダＨに含まれるあて先情報を参照し、自
分宛のパケットＩＰ、ＯＰであれば、表示データを復調し、自装置で表示を行うことがで
きる。
【００３１】
また、携帯電話１００内部では電波状況、電池残量、時刻などの情報量の少ないステー
タス情報のみを伝送し、これらのステータスを示す画像Ｓ１、Ｓ２を液晶表示部１１１に
表示するとともに、写真や動画を表示装置１２０へ伝送するようにしてもよい。また、携
帯電話１００のサブディスプレイ用の表示データをメインの液晶表示部１１１に表示させ
るようにしてもよい。さらに、携帯電話１００に画像を表示しないようにし、サブディス
プレイのみにステータス情報を表示するようにしてもよい。
【００３２】
図５は、本発明の第３実施形態に係る表示装置の概略構成を示すブロック図である。
図５において、携帯電話１００に外部表示モードを設け、外部表示モードに設定された
場合には、液晶コントローラ１０５において表示装置１２０の解像度に合わせた画像デー
タを作成し、第１筐体部Ｋ１１に設けられた送信部１０６から画像データを送信するよう
にしてもよい。この場合、表示装置１２０側で表示データの解像度を変換する必要がなく
なることから、表示装置１２０から解像度変換部１２４が削除された表示装置１３０を用
いることができる。
【００３３】
この結果、表示装置１３０の構成を簡略化することが可能となるとともに、表示装置１
３０に高解像度の表示データを送信することができ、携帯電話１００から送信された表示
データを表示装置１３０に一度に多く表示することができる。
また、携帯電話に別途インターフェイスを追加する事無く、表示データを外部表示装置
に表示する事ができ、筐体の小型化と利便性の向上を図ることが出来る。
【００３４】
図６は、本発明の第４実施形態に係る表示装置の概略構成を示す平面図である。
図６において、表示装置４００には、表示データの表示を行う液晶表示部４０４、表示
装置４００および携帯電話の操作を行う操作部４０６および外部無線通信用電波の送受信
を行う外部無線通信用アンテナ４０１が設けられている。
そして、操作部４０６にて携帯電話の操作を行うと、携帯電話の操作情報が携帯電話に
送られ、表示装置４００から携帯電話を操作することができ、携帯電話の携帯性を損なう
ことなく、携帯電話１００の操作性を向上させることができる。
【００３５】
図７は、図６の表示装置が適用される表示システムの概略構成を示すブロック図である
。
図７において、携帯電話５００には、第１筐体部Ｋ３１および第２筐体部Ｋ３２が設け
られ、第１筐体部Ｋ３１には図１の携帯電話１００の構成に加え、表示装置４００から送
信された操作情報を受信する受信部１１６が設けられている。
【００３６】
また、表示装置４００には、外部無線通信用アンテナ４０１、受信部４０２、表示デー
タ再生回路４０３および液晶表示部４０４が設けられるとともに、表示装置４００および
携帯電話の操作を行う操作部４０６および携帯電話５００の操作情報を送信する送信部４
０５が設けられている。
そして、操作部４０６にて携帯電話５００の操作が行われると、携帯電話５００の操作
情報が送信部４０５を介して送信される。そして、送信部４０５を介して送信された操作
情報は受信部１１６にて受信され、制御部１０４の制御の元で携帯電話５００の各種操作
が行われる。なお、送信部４０５および受信部１１６は、携帯電話５００内に用いられる
内部無線通信を双方向通信とする構成の他、ＲＦＩＤ、ＩｒＤＡなどの赤外線通信を行う
ようにしてもよい。また、図７の例では、表示装置４００に操作部４０６を直接設ける方
法について説明したが、表示装置４００にキーボードなどの入力デバイスを接続できるよ
うにしてもよい。
【００３７】
図８は、本発明の第５実施形態に係る表示システムの概略構成を示す平面図、図９は、
図８の本発明のクレードル２００の概略構成を示すブロック図である。
図８および図９において、図２の携帯電話１００の充電などを行うクレードル２００に
は、無線通信用電波の受信を行う外部無線通信用アンテナ２０１、外部無線通信用アンテ
ナ２０１を介して受信データを受信する受信部２０２、受信部２０２にて受信された表示
データの再生を行う表示データ再生回路２０３および再生された表示データを外部に転送
する外部インターフェイス回路２０４が設けられている。また、表示装置２０５には液晶
表示部２０６が搭載され、表示装置２０５はクレードル２００とＤＶＩケーブルなどのケ
ーブルにて接続されている。
【００３８】
そして、表示装置２０５に表示データを表示させる場合、クレードル２００上に携帯電
話１００が置かれる。そして、携帯電話１００において、液晶表示部１１１に表示させる
表示データが内部無線通信用アンテナ１０７を介して第１筐体部Ｋ１１から送信されると
、その表示データがクレードル２００の外部無線通信用アンテナ２０１を介して受信され
る。そして、クレードル２００内では、受信部２０２にてパケットが再生され表示データ
再生回路２０３に送られる。そして、表示データ再生回路２０３では、表示データと表示
データにタイミングを合わせた水平同期信号、垂直同期信号、Ｘドライバの転送クロック
が受信信号から再生され、外部インターフェイス回路２０４に送られる。そして、外部イ
ンターフェイス回路２０４では、表示装置２０５の映像信号フォーマットに対応した変換
が行われ、ケーブルを介して表示装置２０５に出力される。なお、外部インターフェイス
回路２０４を複数設けるようにして、複数の外示装置の映像フォーマットに対応すること
もできる。
【００３９】
これにより、クレードル２００では、携帯電話１００の充電などを行いながら、携帯電
話１００から送信された生の表示データを外部の表示装置２０５に転送することが可能と
なる。このため、携帯電話１００の構成を複雑化することなく、携帯電話１００に表示さ
れる表示データを大画面上に表示させることが可能となり、携帯電話１００の携帯性を損
なうことなく、表示データの視認性を向上させることができる。
【００４０】
図１０は、本発明の第６実施形態に係る表示システムの概略構成を示す平面図、図１１
は、図１０の表示システムの概略構成を示すブロック図である。
図１０および図１１において、携帯電話３００には、図２の構成に加え、表示装置３１
１から送信された認証情報および暗号キーを受信するＲＦＩＤ受信部３１２が設けられて
いる。また、表示装置３１１には、図５の構成に加え、認証情報および暗号キーを送信す
るＲＦＩＤ送信部３１４および暗号キーを生成する乱数発生部３１５が設けられている。
【００４１】
そして、表示装置３１１は、携帯電話３００から送信された表示データを受信する場合
、乱数発生器３１５にて暗号キーを発生させる。そして、乱数発生器３１５にて発生され
た暗号キーはＲＦＩＤ送信部３１４に送られ、ＲＦＩＤ送信部３１４は、表示装置３１１
の認証ＩＤとともに暗号キーを送信する。そして、ＲＦＩＤ送信部３１４から送信された
表示装置３１１の認証ＩＤおよび暗号キーはＲＦＩＤ受信部３１２にて受信され、制御部
１０４に送られる。そして、制御部１０４は、ＲＦＩＤ受信部３１２から認証ＩＤが送ら
れると、認証ＩＤに基づいて表示装置３１１が正当な通信相手であるかどうかを判断する
。なお、正しい通信相手かどうかを判断する方法としては、通信する表示装置３１１の認
証ＩＤを予め登録する方法や機器の種別により判断する方法などが考えられる。
【００４２】
そして、制御部１０４は、表示装置３１１が正しい通信相手であると認証した場合、Ｒ
ＦＩＤ受信部３１２にて受信された暗号キーを送信部１０６に送る。そして、送信部１０
６は、制御部１０４から暗号キーを受け取ると、液晶コントローラ１０５から出力された
表示データを暗号キーにてスクランブルし、内部無線通信用アンテナ１０７を介して電波
として送出させる。そして、表示データが内部無線通信用アンテナ１０７を介して送出さ
れると、外部無線通信用アンテナ１２１を介して受信部１２２に送られる。そして、受信
部１２２では、携帯電話３００に送信した暗号キーと同じ暗号キーで受信データをデスク
ランブルし、元のデータを復号してから、表示データ再生回路１２３に送る。そして、表
示データ再生回路１２３では、表示データと表示データにタイミングを合わせた水平同期
信号、垂直同期信号、Ｘドライバの転送クロックを復号データから抽出し、液晶表示部１
２５に出力し表示を行わせる。
【００４３】
これにより、携帯電話３００から送信された表示データを特定の表示装置３１１にのみ
表示を行わせることが可能となり、携帯電話３００から送信される表示データのセキュリ
ティを確保しつつ、携帯電話３００と表示装置３１１との間で無線にてデータのやり取り
をすることができる。
なお、機器の認証や暗号キーの交換は、ＲＦＩＤだけでなく、ＩｒＤＡなどの赤外線通
信で交換する構成にすることもできる。また、パスワードにより機器を認証するようにし
、予め決められた暗号キーで暗号化する構成でも良い。
【００４４】
図１２は、本発明の第７実施形態に係る表示システムの概略構成を示す斜視図である。
図１２において、ノートパソコン５０１には、第１筐体部Ｋ４１および第２筐体部Ｋ４
２が設けられている。そして、第１筐体部Ｋ４１および第２筐体部Ｋ４２には、第１筐体
部Ｋ４１と第２筐体部Ｋ４２との間で内部無線通信を行う内部無線通信用アンテナ５０７
、５０８がそれぞれ設けられている。また、第２筐体部Ｋ４２には、表示データの表示を
行う液晶表示部５０２が設けられている。また、ノートパソコン５０１には、外部表示の
受信モードを設けるとともに、携帯電話には外部表示の送信モードを設けることができる
。なお、ノートパソコン５０１および携帯電話には同じ内部通信プロトコルを搭載するこ
とができる。
【００４５】
そして、携帯電話からの表示データを液晶表示部１１１に表示させる場合、図１２（ａ
）に示すように、内部無線通信用アンテナ１０７、１０８を介して第１筐体部Ｋ１１から
第２筐体部Ｋ１２に表示データを送信することができる。また、ノートパソコン５０１で
は、内部無線通信用アンテナ５０７、５０８を介して第１筐体部Ｋ４１から第２筐体部Ｋ
４２に表示データを送信し、液晶表示部５０２に表示データを表示させることができる。
一方、携帯電話からの表示データを液晶表示部５０２に表示させる場合、携帯電話の外部
表示の送信モードをオンに設定するとともに、ノートパソコン５０１の外部表示の受信モ
ードをオンに設定する。そして、ノートパソコン５０１の外部表示の受信モードがオンに
設定されると、ノートパソコン５０１からの表示データの送信を停止する。そして、図２
の液晶コントローラ１０５において液晶表示部５０２の解像度に合わせた画像データを作
成し、図１２（ｂ）に示すように、第１筐体部Ｋ１１に設けられた送信部１０６から内部
無線通信用アンテナ１０７を介して画像データを送信する。そして、内部無線通信用アン
テナ１０７を介して画像データが送信されると、携帯電話の第１筐体部Ｋ１１から送信さ
れた画像データを内部無線通信用アンテナ５０８を介して受信し、液晶表示部５０２に表
示を行う。
【００４６】
なお、図１２の実施形態では、携帯電話から送られた画像データをノートパソコン５０
１に表示する方法を説明したが、ノートパソコン５０１から送られた画像データを携帯電
話の液晶表示部１１１に表示させるようにしてもよい。
【図面の簡単な説明】
【００４７】
【図１】本発明の第１実施形態に係る表示システムの概略構成を示す平面図。
【図２】図１の表示システムの概略構成を示すブロック図。
【図３】本発明の第２実施形態に係る表示システムの表示方法を示す平面図。
【図４】図３の表示システムの表示タイミングを示す図。
【図５】本発明の第３実施形態に係る表示装置の概略構成を示すブロック図。
【図６】本発明の第４実施形態に係る表示装置の概略構成を示す平面図。
【図７】図６の表示装置が適用される表示システムの概略構成を示すブロック図。
【図８】本発明の第５実施形態に係る表示システムの概略構成を示す平面図。
【図９】図８のクレードル２００の概略構成を示すブロック図。
【図１０】本発明の第６実施形態に係る表示システムの概略構成を示す平面図。
【図１１】図１０の表示システムの概略構成を示すブロック図。
【図１２】本発明の第７実施形態に係る表示システムの概略構成を示す斜視図。
【符号の説明】
【００４８】
１００、３００、５００  携帯電話、Ｋ１１、Ｋ２１、Ｋ３１、Ｋ４１  第１筐体部、
Ｋ１２、Ｋ２２、Ｋ３２、Ｋ４２  第２筐体部、Ｒ１、Ｒ２  ヒンジ、１１１  表示体、
１１２、４０６  操作ボタン、１０１、１２１、４０１  外部無線通信用アンテナ、１０
２  無線部、１０３  ベースバンド信号処理部、１０４  制御部、１０５  液晶コントロ
ーラ、１０６、４０５  送信部、１０７、１０８、５０７、５０８  内部無線通信用アン
テナ、１０９、１１６、１２２、４０２  受信部、１１０、１２３、４０３  表示データ
再生回路、１１１、１２５、２０６、４０４、５０２  液晶表示部、１１３  ビデオメモ
リ、１１４  ＲＡＭ、１１５  ＲＯＭ、１０７  送信部、１２０、２０５、４００  表示
装置、１２４  解像度変換部、４０６  操作部、２００  クレードル、２０４  外部イン
ターフェイス回路、３１２  ＲＦＩＤ受信部、３１４  ＲＦＩＤ送信部、３１５  乱数発
生部、５０１  ノートパソコン
【図１】
2007124286.tif 000003
【図２】
2007124286.tif 000004
【図３】
2007124286.tif 000005
【図４】
2007124286.tif 000006
【図５】
2007124286.tif 000007
【図６】
2007124286.tif 000008
【図７】
2007124286.tif 000009
【図８】
2007124286.tif 000010
【図９】
2007124286.tif 000011
【図１０】
2007124286.tif 000012
【図１１】
2007124286.tif 000013
【図１２】
2007124286.tif 000014